(57)【特許請求の範囲】
【請求項１】
内部で画像形成動作が行われる装置本体に形成された開口を開放する開放位置と、前記開口を閉止する閉止位置とに移動可能に前記装置本体に支持された開閉部材と、
前記開閉部材に対して着脱可能とされ、前記開閉部材に装着された状態で前記開閉部材に対して相対移動可能とされ、前記開閉部材に装着されて前記開閉部材が閉止位置に配置された状態で、画像が形成される記録媒体を回転することで搬送する搬送部材と、
前記装置本体に備えられ、開放位置に配置された前記開閉部材を閉止位置へ移動させるのに伴って前記搬送部材と接触し、記録媒体を搬送可能とする位置とは異なる位置に配置された前記搬送部材を前記開閉部材に対して相対移動させて記録媒体を搬送可能とする位置に位置決めする位置決め部材と、
前記開閉部材に備えられ、前記位置決め部材による前記搬送部材の前記開閉部材に対する前記相対移動に伴って移動することで前記装置本体に備えられた被係合部材と係合し、前記開閉部材を閉止位置で保持する係合部材と、
前記開閉部材を開放位置から閉止位置へ移動させる際に、前記係合部材の移動がされない場合には、前記係合部材と当って前記開閉部材の閉止位置への移動を阻止する阻止部材と、
を備える画像形成装置。
【請求項２】
前記開閉部材が閉止位置に配置された状態で、画像形成動作を許容し、前記開閉部材が閉止位置に配置されていない状態で、画像形成動作を禁止する許容禁止部材を備える請求項１に記載の画像形成装置。
【請求項３】
内部で画像形成動作が行われる装置本体に形成された開口を開放する開放位置と、前記開口を閉止する閉止位置とに移動可能に前記装置本体に支持された開閉部材と、
前記開閉部材に対して着脱可能とされ、前記開閉部材に装着された状態で前記開閉部材に対して相対移動可能とされ、前記開閉部材に装着されて前記開閉部材が閉止位置に配置された状態で、画像が形成される記録媒体を回転することで搬送する搬送部材と、
前記装置本体に備えられ、開放位置に配置された前記開閉部材を閉止位置へ移動させるのに伴って前記搬送部材と接触し、記録媒体を搬送可能とする位置とは異なる位置に配置された前記搬送部材を前記開閉部材に対して相対移動させて記録媒体を搬送可能とする位置に位置決めする位置決め部材と、
前記開閉部材に備えられ、前記位置決め部材による前記搬送部材の前記開閉部材に対する前記相対移動に伴って移動することで前記装置本体に備えられた被係合部材と係合し、前記開閉部材を閉止位置で保持する係合部材と、
を備え、
前記開閉部材には、前記搬送部材を着脱可能に支持し、前記開閉部材に対して相対移動することで、前記搬送部材を前記開閉部材に対して相対移動させる移動部材が備えられ、
前記係合部材は、前記移動部材に一体的に形成される、画像形成装置。
【請求項４】
内部で画像形成動作が行われる装置本体に形成された開口を開放する開放位置と、前記開口を閉止する閉止位置とに移動可能に前記装置本体に支持された開閉部材と、
前記開閉部材に対して着脱可能とされ、前記開閉部材に装着された状態で前記開閉部材に対して相対移動可能とされ、前記開閉部材に装着されて前記開閉部材が閉止位置に配置された状態で、画像が形成される記録媒体を回転することで搬送する搬送部材と、
前記装置本体に備えられ、開放位置に配置された前記開閉部材を閉止位置へ移動させるのに伴って前記搬送部材と接触し、記録媒体を搬送可能とする位置とは異なる位置に配置された前記搬送部材を前記開閉部材に対して相対移動させて記録媒体を搬送可能とする位置に位置決めする位置決め部材と、
前記開閉部材に備えられ、前記位置決め部材による前記搬送部材の前記開閉部材に対する前記相対移動に伴って移動することで前記装置本体に備えられた被係合部材と係合し、前記開閉部材を閉止位置で保持する係合部材と、
前記装置本体の内部に設けられ、前記開閉部材が閉止位置に配置された状態で、前記搬送部材と対向する対向位置に配置され、前記搬送部材との間で記録媒体を挟み込んで回転することで前記記録媒体を搬送する対向搬送部材と、
開放位置に配置された前記開閉部材を閉止位置へ移動させるのに伴って、前記対向位置とは異なる位置に配置された前記対向搬送部材に接触して前記対向搬送部材を前記対向位置に移動させて位置決めする他の位置決め部材と、
を備える、画像形成装置。
【発明の詳細な説明】
【技術分野】
【０００１】
本発明は、画像形成装置に関する。
【背景技術】
【０００２】
特許文献１に記載の画像形成装置には、電子写真感光体に形成された潜像を現像するための現像カートリッジにおいて、カートリッジフレームと、現像手段の長手方向において一端側に設けられているカートリッジフレーム部分から露出して設けられている駆動力受け手段と、トナーを収納するためのトナー収納部と、現像手段が前記カートリッジフレーム部分から露出している部分をカバーする閉じ位置と、閉じ位置から退避して現像手段を露出させる開放位置とを取り得るシャッターと、現像手段の長手方向において一端側に設けられているカートリッジフレーム部分に設けられたロック部材と、を有する現像カートリッジが備えられている。
【先行技術文献】
【特許文献】
【０００３】
【特許文献１】特開平０９−２９７４４２号公報
【発明の概要】
【発明が解決しようとする課題】
【０００４】
本発明の課題は、装置本体の開口を開閉する開閉部材に対して着脱可能とされた搬送部材が、開閉部材に装着されていない際には、開閉部材が開口を閉止する閉止位置で保持されるのを抑制することである。
【課題を解決するための手段】
【０００５】
本発明の請求項１に係る画像形成装置は、内部で画像形成動作が行われる装置本体に形成された開口を開放する開放位置と、前記開口を閉止する閉止位置とに移動可能に前記装置本体に支持された開閉部材と、前記開閉部材に対して着脱可能とされ、前記開閉部材に装着された状態で前記開閉部材に対して相対移動可能とされ、前記開閉部材に装着されて前記開閉部材が閉止位置に配置された状態で、画像が形成される記録媒体を回転することで搬送する搬送部材と、前記装置本体に備えられ、開放位置に配置された前記開閉部材を閉止位置へ移動させるのに伴って前記搬送部材と接触し、記録媒体を搬送可能とする位置とは異なる位置に配置された前記搬送部材を前記開閉部材に対して相対移動させて記録媒体を搬送可能とする位置に位置決めする位置決め部材と、前記開閉部材に備えられ、前記位置決め部材による前記搬送部材の前記開閉部材に対する前記相対移動に伴って移動することで前記装置本体に備えられた被係合部材と係合し、前記開閉部材を閉止位置で保持する係合部材と、前記開閉部材を開放位置から閉止位置へ移動させる際に、前記係合部材の移動がされない場合には、前記係合部材と当って前記開閉部材の閉止位置への移動を阻止する阻止部材と、を備えることを特徴とする。
【０００７】
本発明の請求項２に係る画像形成装置は、請求項１に記載の画像形成装置において、前記開閉部材が閉止位置に配置された状態で、画像形成動作を許容し、前記開閉部材が閉止位置に配置されていない状態で、画像形成動作を禁止する許容禁止部材を備えることを特徴とする。
【０００８】
本発明の請求項３に係る画像形成装置は、内部で画像形成動作が行われる装置本体に形成された開口を開放する開放位置と、前記開口を閉止する閉止位置とに移動可能に前記装置本体に支持された開閉部材と、前記開閉部材に対して着脱可能とされ、前記開閉部材に装着された状態で前記開閉部材に対して相対移動可能とされ、前記開閉部材に装着されて前記開閉部材が閉止位置に配置された状態で、画像が形成される記録媒体を回転することで搬送する搬送部材と、前記装置本体に備えられ、開放位置に配置された前記開閉部材を閉止位置へ移動させるのに伴って前記搬送部材と接触し、記録媒体を搬送可能とする位置とは異なる位置に配置された前記搬送部材を前記開閉部材に対して相対移動させて記録媒体を搬送可能とする位置に位置決めする位置決め部材と、前記開閉部材に備えられ、前記位置決め部材による前記搬送部材の前記開閉部材に対する前記相対移動に伴って移動することで前記装置本体に備えられた被係合部材と係合し、前記開閉部材を閉止位置で保持する係合部材と、を備え、前記開閉部材には、前記搬送部材を着脱可能に支持し、前記開閉部材に対して相対移動することで、前記搬送部材を前記開閉部材に対して相対移動させる移動部材が備えられ、前記係合部材は、前記移動部材に一体的に形成される、ことを特徴とする。
【０００９】
本発明の請求項４に係る画像形成装置は、内部で画像形成動作が行われる装置本体に形成された開口を開放する開放位置と、前記開口を閉止する閉止位置とに移動可能に前記装置本体に支持された開閉部材と、前記開閉部材に対して着脱可能とされ、前記開閉部材に装着された状態で前記開閉部材に対して相対移動可能とされ、前記開閉部材に装着されて前記開閉部材が閉止位置に配置された状態で、画像が形成される記録媒体を回転することで搬送する搬送部材と、前記装置本体に備えられ、開放位置に配置された前記開閉部材を閉止位置へ移動させるのに伴って前記搬送部材と接触し、記録媒体を搬送可能とする位置とは異なる位置に配置された前記搬送部材を前記開閉部材に対して相対移動させて記録媒体を搬送可能とする位置に位置決めする位置決め部材と、前記開閉部材に備えられ、前記位置決め部材による前記搬送部材の前記開閉部材に対する前記相対移動に伴って移動することで前記装置本体に備えられた被係合部材と係合し、前記開閉部材を閉止位置で保持する係合部材と、前記装置本体の内部に設けられ、前記開閉部材が閉止位置に配置された状態で、前記搬送部材と対向する対向位置に配置され、前記搬送部材との間で記録媒体を挟み込んで回転することで前記記録媒体を搬送する対向搬送部材と、開放位置に配置された前記開閉部材を閉止位置へ移動させるのに伴って、前記対向位置とは異なる位置に配置された前記対向搬送部材に接触して前記対向搬送部材を前記対向位置に移動させて位置決めする他の位置決め部材と、を備えることを特徴とする。
【発明の効果】
【００１０】
本発明の請求項１の画像形成装置によれば、搬送部材が開閉部材に装着されていない場合にも開閉部材が閉止位置で保持される場合と比して、開閉部材に着脱可能とされた搬送部材が、開閉部材に装着されていない際には、開閉部材が装置本体の開口を閉止する閉止位置で保持されるのを抑制することができる。
【００１１】
本発明の請求項１の画像形成装置によれば、係合部材と被係合部材との係合に関わらず、開閉部材が閉止位置へ移動する場合と比して、開閉部材に着脱可能とされた搬送部材が、開閉部材に装着されていない際には、開閉部材が閉止位置に移動するのを抑制することができる。
【００１２】
本発明の請求項２の画像形成装置によれば、開閉部材に搬送部材が装着されていない状態でも画像形成動作が許容される場合と比して、記録媒体を搬送できない状態での画像形成動作の誤作動を抑制することができる。
【００１３】
本発明の請求項３の画像形成装置によれば、係合部材が単独で設けられている場合と比して、係合部材を安価に形成することができる。
【００１４】
本発明の請求項４の画像形成装置によれば、対向搬送部材を搬送部材と対向する対向位置へ位置決めする位置決め部材が備えられていない場合と比して、対向搬送部材を搬送部材と対向する対向位置へ確実に位置決めすることができる。
【図面の簡単な説明】
【００１５】
【図１】本発明の実施形態に係る画像形成装置に用いられた位置決め部材及び係合部等を示した側面図である。
【図２】（Ａ）（Ｂ）本発明の実施形態に係る画像形成装置に用いられた位置決め部材、小径部及び係合部等を示した側面図である。
【図３】（Ａ）（Ｂ）本発明の実施形態に係る画像形成装置に用いられた位置決め部材、小径部及び係合部等を示した側面図である。
【図４】（Ａ）（Ｂ）本発明の実施形態に係る画像形成装置に用いられた作用装置を示した側面図である。
【図５】（Ａ）（Ｂ）本発明の実施形態に係る画像形成装置に用いられたロック解除スイッチ等を示した側面図である。
【図６】本発明の実施形態に係る画像形成装置に用いられた作用装置を示した斜視図である。
【図７】本発明の実施形態に係る画像形成装置に用いられた二次転写ロールを示した斜視図である。
【図８】本発明の実施形態に係る画像形成装置に用いられたメンテナンスドアの内側を示した斜視図である。
【図９】本発明の実施形態に係る画像形成装置に用いられたメンテナンスドアの内側を示した斜視図である。
【図１０】本発明の実施形態に係る画像形成装置に用いられたメンテナンスドアの内側を示した斜視図である。
【図１１】本発明の実施形態に係る画像形成装置に用いられたメンテナンスドアの内側を示した斜視図である。
【図１２】本発明の実施形態に係る画像形成装置を示した斜視図である。
【図１３】本発明の実施形態に係る画像形成装置を示した斜視図である。
【図１４】本発明の実施形態に係る画像形成装置を示した概略構成図である。
【発明を実施するための形態】
【００１６】
本発明の実施形態に係る露光装置、及び画像形成装置の一例を図１〜図１４に従って説明する。なお図中に示す矢印Ｖは鉛直方向を示し、矢印Ｈは水平方向であって装置左右方向を示し、矢印Ｄは水平方向であって装置奥行方向を示す。
【００１７】
（全体構成）
図１４に示されるように、画像形成装置１０の装置本体１０Ａの内部には、入力される画像データに対して画像処理を行なう画像処理部１２が設けられている。
【００１８】
この画像処理部１２は、入力された画像データをイエロー（Ｙ）、マゼンタ（Ｍ）、シアン（Ｃ）、ブラック（Ｋ）の４色の階調データに処理するようになっている。そして、画像処理部１２によって処理された階調データを受け取って、レーザ光ＬＢによる画像露光を行う露光装置１４が装置本体１０Ａ内の中央側に設けられている。
【００１９】
また、露光装置１４の鉛直方向上方には、イエロー（Ｙ）、マゼンタ（Ｍ）、シアン（Ｃ）、ブラック（Ｋ）の４つの画像形成ユニット１６Ｙ、１６Ｍ、１６Ｃ、１６Ｋが、水平方向に対して傾斜する方向に間隔をおいて配置され、装置本体１０Ａに着脱可能とされている。この画像形成ユニット１６Ｙ、１６Ｍ、１６Ｃ、１６Ｋで、各色のトナー画像が形成されるようになっている。なお、Ｙ、Ｍ、Ｃ、Ｋを区別して説明する必要が無い場合は、Ｙ，Ｍ，Ｃ，Ｋを省略して記載することがある。
【００２０】
一方、各色の画像形成ユニット１６の鉛直方向上方には、各色の画像形成ユニット１６で形成されたトナー画像が多重に転写される一次転写ユニット１８が設けられている。さらに、一次転写ユニット１８の側方（図中右側）には、後述する供給搬送ユニット３０によって搬送経路６０に沿って搬送された記録媒体としてのシート部材Ｐに、一次転写ユニット１８に多重に転写されたトナー画像を転写する搬送部材の一例としての二次転写ロール２２が設けられている。
【００２１】
二次転写ロール２２に対してシート部材Ｐの搬送方向下流側には、シート部材Ｐに転写されたトナー画像を熱及び圧力によってシート部材Ｐに定着させる定着装置２４が設けられている。また、この定着装置２４に対してシート部材Ｐの搬送方向下流側には、トナー画像が定着したシート部材Ｐを画像形成装置１０の装置本体１０Ａの上部に設けられた排出部２６に排出する排出ロール２８が設けられている。
【００２２】
一方、露光装置１４の鉛直方向下方及び側方には、シート部材Ｐを供給し搬送する供給搬送ユニット３０が設けられている。
【００２３】
〔画像形成ユニット〕
先ず、画像形成ユニット１６について説明する。
【００２４】
各色の画像形成ユニット１６は、すべて同様に構成されている。そして、各色の画像形成ユニット１６は、回転する円柱状の像保持体３４と、この像保持体３４の外周面を帯電させる帯電部材３６と、帯電した像保持体３４の外周面に前述した露光装置１４の画像露光によって形成された静電潜像を現像剤（トナー）で現像してトナー画像とする現像器３８と、像保持体３４の外周面を清掃する清掃ブレード（図示省略）とを備えている。
【００２５】
〔露光装置〕
次に、露光装置１４について説明する。
【００２６】
露光装置１４の筐体１４Ａの内部には、回転多面鏡であるポリゴンミラー３２が配置されている。光源である半導体レーザ５４から出射されたレーザ光ＬＢ−Ｙ、ＬＢ−Ｍ、ＬＢ−Ｃ、ＬＢ−Ｋは、シリンドリカルレンズ（図示省略）を介してこのポリゴンミラー３２に照射され、このポリゴンミラー３２によって主走査方向に偏向走査されるようになっている。そして、このポリゴンミラー３２によって偏向走査されたレーザ光ＬＢ−Ｙ、ＬＢ−Ｍ、ＬＢ−Ｃ、ＬＢ−Ｋは、結像レンズ及び複数枚のミラー（図示省略）を介して、像保持体３４上の露光位置に、斜め下方から走査露光されるようになっている。
【００２７】
このように、露光装置１４は、斜め下方から像保持体３４上を走査露光するものである。このため、この露光装置１４には、上方に位置する各色の画像形成ユニット１６に備えられた現像器３８等からトナー等の異物が落下する虞が有る。そこで、筐体１４Ａの外周面において上方を向いた部分には、４本のレーザ光ＬＢ−Ｙ、ＬＢ−Ｍ、ＬＢ−Ｃ、ＬＢ−Ｋを、各色の画像形成ユニット１６の像保持体３４上に向けて透過させる透明なガラス製の透過ガラス４０Ｙ、４０Ｍ、４０Ｃ、４０Ｋが備えられている。
【００２８】
〔一次転写ユニット・二次転写ロール〕
次に、一次転写ユニット１８及び二次転写ロール２２について説明する。
【００２９】
一次転写ユニット１８は、各色の画像形成ユニット１６の鉛直方向上方に配置されている。この一次転写ユニット１８は、無端状の中間転写ベルト４２と、中間転写ベルト４２が巻き掛けられ回転駆動して中間転写ベルト４２を矢印Ａ方向に周回させる駆動ロール４６と、中間転写ベルト４２が巻き掛けられ、中間転写ベルト４２に張力を付与する張力付与ロール４８と、張力付与ロール４８の鉛直方向上方に配置されて中間転写ベルト４２と従動回転する対向搬送部材の一例としての従動ロール５０と、中間転写ベルト４２を挟んで各色の像保持体３４の反対側に夫々配置される一次転写ロール５２とを備えている。
【００３０】
これにより、各色の画像形成ユニット１６の像保持体３４上に順次形成されたイエロー（Ｙ）、マゼンタ（Ｍ）、シアン（Ｃ）、ブラック（Ｋ）の各色のトナー画像が、各色の一次転写ロール５２によって、中間転写ベルト４２上に多重に転写されるようになっている。
【００３１】
さらに、中間転写ベルト４２の外周面に接して中間転写ベルト４２の外周面を清掃する清掃ブレード５６が、中間転写ベルト４２を挟んで駆動ロール４６の反対側に配置されている。また、中間転写ベルト４２を挟んで従動ロール５０の反対側には、中間転写ベルト４２上に転写されたトナー画像を、搬送されるシート部材Ｐに転写する二次転写ロール２２が設けられている。
【００３２】
以上により、中間転写ベルト４２上に多重に転写されたイエロー（Ｙ）、マゼンタ（Ｍ）、シアン（Ｃ）、ブラック（Ｋ）の各色のトナー画像は、中間転写ベルト４２によって搬送される。搬送されるトナー画像は、従動ロール５０と二次転写ロール２２とに挟まれ、後述する供給搬送ユニット３０により搬送経路６０に沿って搬送されてきたシート部材Ｐに二次転写されるようになっている。
【００３３】
〔供給搬送ユニット〕
次に、シート部材Ｐを供給して搬送する供給搬送ユニット３０について説明する。
【００３４】
供給搬送ユニット３０は、装置本体１０Ａ内において露光装置１４の鉛直方向下方に配置され、複数のシート部材Ｐが積載される給紙部材６２を備えている。
【００３５】
さらに、供給搬送ユニット３０は、給紙部材６２に積載されたシート部材Ｐを搬送経路６０へ送り出す給紙ロール６４と、給紙ロール６４によって送り出されたシート部材Ｐを１枚ずつ分離する分離ロール６６と、シート部材Ｐの搬送タイミングを合わせる位置合せロール６８と、を備えている。そして、各ロールが、シート部材Ｐの搬送方向上流側から下流側に向けてこの順番で配置されている。
【００３６】
この構成により、給紙部材６２から供給されたシート部材Ｐは、回転する位置合せロール６８によって中間転写ベルト４２と二次転写ロール２２とが接触する位置（二次転写位置）へ定められたタイミングで送り出されるようになっている。
【００３７】
さらに、供給搬送ユニット３０は、定着装置４４によって一方の面にトナー画像が定着されたシート部材Ｐを、排出ロール２８によって排出部２６にそのまま排出させずに、他方の面にトナー画像を形成するために用いる両面搬送装置７０を備えている。
【００３８】
そして、この両面搬送装置７０は、排出ロール２８から位置合せロール６８に向けてシート部材Ｐの表裏を反転させるようにシート部材Ｐが搬送される両面搬送経路７２と、両面搬送経路７２に沿ってシート部材Ｐを搬送する搬送ロール７４及び搬送ロール７６とを備えている。
【００３９】
両面搬送経路７２は、搬送されるシート部材Ｐの一方の面を支持する第一シュート部材８０と、他方の面を支持する第二シュート部材８２とを備えている。
【００４０】
一方、装置本体１０Ａの側方（図中右側）には、開口８４（図１２参照）が形成されている。さらに、この開口８４を開放する開放位置（図１２参照）と、開口８４を閉止する閉止位置（図１３参照）とに移動可能に装置本体１０Ａに支持された開閉部材の一例としてのメンテナンスドア８６が備えられている。
【００４１】
メンテナンスドア８６は、ヒンジ８８を介して装置本体１０Ａに支持されており、メンテナンスドア８６をヒンジ８８周りに中心に回転移動させることで、メンテナンスドア８６が、開放位置と閉止位置との間を移動するようになっている。
【００４２】
また、このメンテナンスドア８６には、前述した第一シュート部材８０、第二シュート部材８２、及び二次転写ロール２２が装着されている。なお、二次転写ロール２２の構成等については、詳細を後述する。
【００４３】
（全体構成の作用）
この構成により、以下のようにシート部材Ｐに画像が形成される。
【００４４】
先ず、画像処理部１２から露光装置１４に各色の階調データが順次出力さる。そして、この露光装置１４から階調データに応じて出射されたレーザ光ＬＢ−Ｙ、ＬＢ−Ｍ、ＬＢ−Ｃ、ＬＢ−Ｋは、帯電部材３６によって帯電した像保持体３４の外周面を走査露光する（主走査方向に露光する）。これにより、像保持体３４の外周面には静電潜像が形成される。像保持体３４上に形成された静電潜像は、各色の現像器３８によって現像され、それぞれイエロー（Ｙ）、マゼンタ（Ｍ）、シアン（Ｃ）、ブラック（Ｋ）の各色のトナー画像として可視化される。
【００４５】
さらに、一次転写ユニット１８の一次転写ロール５２によって、像保持体３４上に形成されたイエロー（Ｙ）、マゼンタ（Ｍ）、シアン（Ｃ）、ブラック（Ｋ）の各色のトナー画像が、周回する中間転写ベルト４２上に多重に転写される。
【００４６】
周回する中間転写ベルト４２上に多重に転写された各色のトナー画像は、給紙部材６２から給紙ロール６４、分離ロール６６、位置合せロール６８によって搬送経路６０に沿って搬送されてきたシート部材Ｐに二次転写ロール２２によって二次転写される。
【００４７】
さらに、トナー画像が転写されたシート部材Ｐは、定着装置４４へと搬送される。そして、トナー画像が定着装置４４によってシート部材Ｐに定着される。トナー画像が定着されているシート部材Ｐは、排出ロール２８によって排出部２６に排出される。
【００４８】
一方、シート部材Ｐの両面に画像を形成させる場合は、定着装置４４によって一方の面（表面）にトナー画像が定着されたシート部材Ｐは、排出ロール２８によって排出部２６にそのまま排出されない。排出ロール２８を逆転させることで、シート部材Ｐの搬送方向が切り替えられる。そして、このシート部材Ｐは、搬送ロール７４、７６により両面搬送経路７２に沿って搬送される。
【００４９】
両面搬送経路７２に沿って搬送されるシート部材Ｐは、表裏が反転されて再度位置合せロール６８へと搬送される。今度は、シート部材Ｐの他方の面（裏面）にトナー画像が転写・定着された後、シート部材Ｐは、排出部２６に排出ロール２８によって排出される。
【００５０】
（要部構成）
次に、このメンテナンスドア８６に装着される二次転写ロール２２の構成等について説明する。
【００５１】
〔二次転写ロール〕
図７に示されるように、二次転写ロール２２は、ロール本体９０と、図示せぬ回転軸を受ける一対の軸受部材９２と、軸受部材９２を支持する支持部材９４と、支持部材９４の両端部に備えられ、メンテナンスドア８６に取り付けられる取付部材９６とを備えている。
【００５２】
また、軸受部材９２は、支持部材９４に支持される一般部９２Ａと、一般部９２Ａより小径化されて外側に延びる小径部９２Ｂと、一般部９２Ａと小径部９２Ｂとの間に備えられた中間部９２Ｃとを備えている。
【００５３】
また、支持部材９４は、二次転写ロール２２の回転軸方向（以下単に「ロール軸方向」と記載することがある：本実施形態では装置奥行方向と同一方向）に延び、長手方向の両端部に、前述した取付部材９６が備えられている。
【００５４】
取付部材９６は、ロール軸方向の片側に２個備えられ、２個の取付部材９６は、ロール軸方向から見て、軸受部材９２を間に挟んで配置されている。この取付部材９６は、作業者が把持する把持部９６Ａと、把持部９６Ａを把持することで撓むＵ字状の撓み部９６Ｂと、把持部９６Ａからロール軸方向の内側に突出する突出部９６Ｃとを備えている。なお、撓み部９６Ｂの端部は、支持部材９４に固定されている。
【００５５】
一方、図８、図１０に示されるように、メンテナンスドア８６には、取付部材９６の突出部９６Ｃと係合する爪部１００と、軸受部材９２の中間部９２Ｃを支持する支持部１０２とが形成された移動部材１０６が、備えられている。
【００５６】
この構成において、メンテナンスドア８６に装着された二次転写ロール２２の一対の把持部９６Ａを把持すると、撓み部９６Ｂが撓むことで、把持部９６Ａ及び突出部９６Ｃは、互いに軸受部材９２に近づくように変位する。これにより、突出部９６Ｃと爪部１００との係合状態が解除されるようになっている。この状態で、上方に二次転写ロール２２を持ち上げることで二次転写ロール２２は、移動部材１０６に着脱可能とされている。
【００５７】
〔移動部材〕
次に、爪部１００及び支持部１０２が形成された移動部材１０６について説明する。
【００５８】
図１４に示されるように、移動部材１０６は、第一シュート部材８０を挟んで第二シュート部材８２の反対側に配置されている。さらに、図９、図１１に示されるように、爪部１００及び支持部１０２は、移動部材１０６に一体的に形成されている。
【００５９】
また、移動部材１０６は、第一シュート部材８０に移動可能に取り付けられ、メンテナンスドア８６に対して相対移動可能とされている。これにより、移動部材１０６に装着された二次転写ロール２２もメンテナンスドア８６に対して相対移動可能とされている。
【００６０】
具体的には、図１４に示されるように、メンテナンスドア８６が閉止位置に配置された状態で、ロール軸方向から見て、鉛直方向に対して、上方側が装置内部に傾く方向（図中矢印Ｇ方向、）に、メンテナンスドア８６に対して移動部材１０６が相対移動可能とされている。これにより、二次転写ロール２２もメンテナンスドア８６に対して矢印Ｇ方向に相対移動可能とされている。
【００６１】
そして、二次転写ロール２２は、メンテナンスドア８６を構成する天板８６Ａ側である一方側に移動した基本位置で、図示せぬストッパ部材と移動部材１０６とが接触して一方側への移動が規制されるようになっている。また、図１１に示されるように、メンテナンスドア８６には、二次転写ロール２２が基本位置に配置されるように、移動部材１０６を天板８６Ａ側に向けて付勢する付勢バネ１０８が２個備えられている。
【００６２】
一方、図１２、図１３に示されるように、メンテナンスドア８６の天板８６Ａと側板８６Ｂとで成す角部には、外部から押圧されることで、移動部材１０６を天板８６Ａから離れる他方側に移動させる押圧部１１０が備えられている。
【００６３】
この構成において、押圧部１１０を装置内部に向けて押圧することで、付勢バネ１０８の付勢力に対抗して移動部材１０６が移動して、基本位置に配置された二次転写ロール２２が、天板８６Ａから離れる他方側に移動するようになっている。
【００６４】
〔位置決め部材〕
次に、開放位置に配置されたメンテナンスドア８６を閉止位置へ移動させるのに伴って二次転写ロール２２と接触して、二次転写ロール２２を装置本体１０Ａに対して位置決めする位置決め部材１１２について説明する。この位置決め部材１１２は、装置手前側と装置奥側とに備えられている。
【００６５】
図２、図６に示されるように、位置決め部材１１２は、メンテナンスドア８６が閉止位置へ移動されるのに伴って軸受部材９２の小径部９２Ｂ（図７参照）を押圧し、二次転写ロール２２を天板８６Ａから離れる他方側に移動させるスロープ部１１２Ａを備えている。さらに、メンテナンスドア８６が閉止位置へ向けて押し込まれ、スロープ部１１２Ａの端部から離脱して付勢バネ１０８の付勢力により天板８６Ａ側に移動した小径部９２Ｂと接触して二次転写ロール２２を画像形成動作可能な稼動位置に位置決めする位置決め部１１２Ｂが、位置決め部材１１２に備えられている。
【００６６】
この構成において、図２（Ａ）、（Ｂ）、図３（Ａ）に示されるように、メンテナンスドア８６の閉止位置への移動に伴って、小径部９２Ｂは、スロープ部１１２Ａに押圧され、二次転写ロール２２は、天板８６Ａから離れる他方側に移動する。さらに、図３（Ｂ）に示されるように、メンテナンスドア８６が閉止位置へ向けて押し込まれると、スロープ部１１２Ａの端部から離脱されて付勢バネ１０８の付勢力により天板８６Ａ側に移動した小径部９２Ｂと位置決め部１１２Ｂとが接触し、二次転写ロール２２が稼動位置で位置決めされるようになっている。なお、この状態で後述するように、メンテナンスドア８６は閉止位置に配置される。
【００６７】
〔係合部・被係合部〕
次に、開放位置に配置されたメンテナンスドア８６を閉止位置に移動させた際に、閉止位置に移動したメンテナンスドア８６を閉止位置で保持するのに用いられる係合部材の一例としての係合部１１６及び被係合部材の一例としての被係合部１１８について説明する。
【００６８】
図８、図１０に示されるように、移動部材１０６において支持部１０２の近傍には、ロール軸方向の外側に突出する係合部１１６が、移動部材１０６と一体的に形成されている。
【００６９】
これに対して、図２（Ａ）、図６に示されるように、装置本体１０Ａには、スロープ部１１２Ａの一部からロール軸方向の内側に突出すると共に、メンテナンスドア８６が閉止位置に配置された状態で、係合部１１６と係合する被係合部１１８が形成されている（図３（Ｂ）参照）。
【００７０】
この構成において、図２（Ａ）、（Ｂ）、図３（Ａ）に示されるように、メンテナンスドア８６の閉止位置への移動に伴って、小径部９２Ｂがスロープ部１１２Ａに押圧されることで、移動部材１０６に形成された係合部１１６は、天板８６Ａから離れる他方側に移動する。これにより、係合部１１６は、被係合部１１８の下方を通過して装置内側（図中左側）に移動する。さらに、図３（Ｂ）に示されるように、メンテナンスドア８６が閉止位置へ向けて押し込まれると、小径部９２Ｂがスロープ部１１２Ａの端部から離脱されて付勢バネ１０８の付勢力により天板８６Ａ側に移動するのに伴って、係合部１１６も天板８６Ａ側に移動する。これにより、係合部１１６は、被係合部１１８の背面１１８Ａ（装置内部を向いた面）と接触して、係合部１１６が装置内側（図に示す左側）から被係合部１１８に係合するようになっている。この状態で、係合部１１６と被係合部１１８との係合により、メンテナンスドア８６が閉止位置で保持されている。
【００７１】
一方、図１に示されるように、移動部材１０６がメンテナンスドア８６に対して相対移動しない場合には、メンテナンスドア８６の閉止位置への移動に伴って、係合部１１６が、装置外側（図に示す右側）から被係合部１１８に備えられた阻害部材の一例としての凸部１１８Ｂに接触する。これにより、メンテナンスドア８６の閉止位置への移動が阻害されるようになっている。
【００７２】
〔ロック解除スイッチ〕
次に、開放位置に配置されたメンテナンスドア８６を閉止位置に移動させることで、画像形成装置１０による画像形成動作を許容する許容禁止部材の一例としてのロック解除スイッチ１２２について説明する。
【００７３】
図５（Ａ）（Ｂ）、図１０に示されるように、装置本体１０Ａの内部には、オン状態とされることで画像形成装置１０による画像形成動作を許容し、オフ状態とされることで画像形成装置１０による画像形成動作を禁止するロック解除スイッチ１２２が設けられている（インターロックスイッチ）。
【００７４】
これに対して、メンテナンスドア８６には、開放位置に配置されたメンテナンスドア８６を閉止位置へ移動させることで、オフ状態のロック解除スイッチ１２２と先端で接触してロック解除スイッチ１２２をオン状態とする押圧突起１２４が形成されている。
【００７５】
〔作用装置〕
次に、開放位置に配置されたメンテナンスドア８６を閉止位置へ移動させるのに伴って、従動ロール５０を、二次転写ロール２２と中間転写ベルト４２を挟んで対向する対向位置に移動させる他の位置決め部材の一例としての作用装置１２８について説明する。
【００７６】
図６に示されるように、作用装置１２８は、位置決め部材１１２に対して鉛直方向の上方に配置され、装置本体１０Ａの装置奥側と装置手前側とに備えられている（図６では、一方だけを図示する）。
【００７７】
図４（Ａ）（Ｂ）に示されるように、作用装置１２８は、装置本体１０Ａのフレーム部材（図示省略）に固定されたベース部材１３０と、ベース部材１３０と接触可能とされると共にフレーム部材（図示省略）に固定された軸部１３２Ａを中心に回転可能とされた回転規制部材１３２と、を備えている。さらに、作用装置１２８は、回転規制部材１３２とベース部材１３０との間に配置され回転規制部材１３２を後述する規制解除位置に向けて付勢する付勢バネ１３４を備えている。
【００７８】
回転規制部材１３２は、ベース部材１３０と接触する第一部材１３６と、従動ロール５０の回転軸５０Ａと接触可能とされる第二部材１３８とを備えている。第一部材１３６と第二部材１３８とは軸部１３２Ａの近傍で固定され、一体的に軸部１３２Ａ周りに回転するようになっている。
【００７９】
また、第一部材１３６には、回転規制部材１３２が規制解除位置（図４（Ａ）参照）に配置された状態で、付勢バネ１３４の付勢力によりベース部材１３０に形成された突起部１３０Ａと接触する接触部１３６Ａが形成されている。さらに、装置本体１０Ａの内部に突出するように第一シュート部材８０に形成され押圧部１４０（図１１参照）が、メンテナンスドア８６の閉止位置への移動に伴って押圧する被押圧部１３６Ｂが第一部材１３６に形成されている。これにより、被押圧部１３６Ｂが押圧部１４０に押圧されることで、規制解除位置に配置された回転規制部材１３２が規制位置（図４（Ｂ）参照）に移動するようになっている。
【００８０】
また、第二部材１３８には、回転規制部材１３２が押圧部１４０に押圧されて規制位置（図４（Ｂ）参照）に配置された状態で、従動ロール５０が前述した対向位置へ配置されるように、回転軸５０Ａと接触することで回転軸５０Ａを移動させて規制する凹状の規制部１３８Ａが形成されている。なお、回転軸５０Ａが規制部１３８Ａに規制されていない状態では、従動ロール５０は、図示せぬ付勢部材の付勢力により、対向位置とは異なる待機位置（図４（Ａ）参照）に配置される。なお、この従動ロール５０が待機位置に配置された状態では、一次転写ユニット１８が装置本体１０Ａ（図１４参照）から離脱可能とされている。
【００８１】
この構成において、メンテナンスドア８６が開放位置に配置された状態では、図４（Ａ）に示されるように、回転規制部材１３２は、付勢バネ１３４の付勢力により従動ロール５０を規制しない規制解除位置へ配置される。この状態では、従動ロール５０は、待機位置に配置されている。
【００８２】
一方、開放位置へ配置されたメンテナンスドア８６を閉止位置へ移動させると、図４（Ｂ）に示されるように、押圧部１４０に形成された半円状の接触部１４０Ａが、被押圧部１３６Ｂを押圧して回転規制部材１３２が回転する。そして、回転規制部材１３２が規制位置へ移動することで、規制部１３８Ａが軸部材５０Ａを移動させ、待機位置に配置されていた従動ロール５０が対向位置に移動するようになっている。なお、この従動ロール５０が対向位置に配置された状態では、一次転写ユニット１８が装置本体１０Ａ（図１４参照）から離脱不可能とされる。
【００８３】
（要部構成の作用）
次に、要部構成の作用について説明する。
【００８４】
図１３に示されるように、閉止位置にメンテナンスドア８６が配置された状態では、二次転写ロール２２は、稼動位置へ配置され、回転規制部材１３２は、規制位置に配置され、従動ロール５０は、対向位置へ配置されている（図４（Ｂ）参照）。
【００８５】
また、図３（Ｂ）に示されるように、係合部１１６は、装置内側（図に示す左側）から被係合部１１８に係合しており、これにより、メンテナンスドア８６が閉止位置で保持されている。この状態では、一次転写ユニット１８は、装置本体１０Ａ（図１４参照）から離脱不可能とされる。
【００８６】
さらに、図５（Ｂ）に示されるように、ロック解除スイッチ１２２に押圧突起１２４の先端部が接触してロック解除スイッチ１２２がオン状態なっており、これにより、画像形成装置１０による画像形成動作が許容されている。また、図示せぬ本体側のギアとドア側のギアとが噛み合い、両面搬送装置７０の搬送ロール７６（図１４参照）に回転力が本体側から伝達されるようになっている。
【００８７】
例えば、二次転写ロール２２を交換等する場合には、図１３に示されるように、閉止位置に配置されたメンテナンスドア８６の押圧部１１０を鉛直方向の下方へ押圧する。これにより、移動部材１０６を天板８６Ａから離れる他方側に移動させる。
【００８８】
移動部材１０６を他方側に移動させることで、図３（Ａ）に示されるように、小径部９２Ｂが、位置決め部１１２Ｂから押し出される。そして、図２（Ａ）（Ｂ）に示されるように、小径部９２Ｂが，付勢バネ１０８の付勢力により、スロープ部１１２Ａに沿って鉛直方向の上方へ移動する。これにより、メンテナンスドア８６が開放位置へ移動する（図１０、図１２参照）。
【００８９】
また、係合部１１６は、被係合部１１８の下方を通過して被係合部１１８に対して装置内側から装置外側に移動して、係合部１１６と被係合部１１８との係合が解除される。これにより、メンテナンスドア８６が開放位置へ移動する。
【００９０】
メンテナンスドア８６が開放位置へ移動することで、二次転写ロール２２は待機位置へ移動し、回転規制部材１３２は規制解除位置に移動し（図４（Ａ）参照）、従動ロール５０は待機位置へ移動する。この状態では、一次転写ユニット１８は、装置本体１０Ａ（図１４参照）から離脱可能とされる。
【００９１】
さらに、図５（Ａ）に示されるように、ロック解除スイッチ１２２から押圧突起１２４の先端部が離間してロック解除スイッチ１２２がオフ状態となり、画像形成装置１０による画像形成動作が禁止される（インターロック）。また、図示せぬギアとギアとが離間して、両面搬送装置７０の搬送ロール７６に回転力が伝達されないようになっている。
【００９２】
図７、図８、図１０に示されるように、二次転写ロール２２を移動部材１０６から離脱させる場合には、一対の把持部９６Ａを夫々把持することで、撓み部９６Ｂが撓む。撓み部９６Ｂが撓むことで、把持部９６Ａ及び突出部９６Ｃは、互いに軸受部材９２に近づくように変位する。これにより、突出部９６Ｃと爪部１００との係合が解除され、二次転写ロール２２を持ち上げることで二次転写ロール２２が移動部材１０６から離脱される。
【００９３】
二次転写ロール２２を移動部材１０６に装着させる場合には、二次転写ロール２２を離脱させるのと逆の手順を行うことで、二次転写ロール２２が移動部材１０６に装着させる。
【００９４】
二次転写ロール２２を移動部材１０６に装着してメンテナンスドア８６を閉止位置へ移動させようとすると、図２（Ａ）、（Ｂ）、図３（Ａ）に示されるように、小径部９２Ｂが、スロープ部１１２Ａに押圧される。これにより、二次転写ロール２２は、天板８６Ａから離れる他方側に移動する。図３（Ｂ）に示されるように、さらにメンテナンスドア８６が閉止位置へ向けて押し込まれると、スロープ部１１２Ａの端部から離脱されて付勢バネ１０８の付勢力により天板８６Ａ側に移動した小径部９２Ｂと位置決め部１１２Ｂとが接触する。これにより、二次転写ロール２２が稼動位置へ移動して位置決めされる。
【００９５】
さらに、小径部９２Ｂの移動軌跡に沿って移動する係合部１１６は、被係合部１１８の下方を通過して被係合部１１８の背面１１８Ａと接触する。これにより、係合部１１６と被係合部１１８とが係合し、メンテナンスドア８６が閉止位置で保持される。
【００９６】
一方、図４（Ａ）（Ｂ）に示されるように、メンテナンスドア８６の閉止位置への移動に伴って、押圧部１４０に形成された接触部１４０Ａが、被押圧部１３６Ｂを押圧して回転規制部材１３２が回転する。これにより、規制解除位置に配置されていた回転規制部材１３２が規制位置へ移動する。そして、規制部１３８Ａが従動ロール５０の回転軸５０Ａを規制すことで、待機位置に配置されていた従動ロール５０は、対向位置に移動する。この状態では、一次転写ユニット１８が装置本体１０Ａ（図１４参照）から離脱不可能とされる。
【００９７】
また、図５（Ｂ）に示されるように、メンテナンスドア８６の閉止位置への移動に伴って、ロック解除スイッチ１２２に押圧突起１２４の先端部が接触してロック解除スイッチ１２２がオン状態となる。これにより、画像形成装置１０による画像形成動作が許容される（インターロックが解除される）。また、図示せぬ本体側のギアとドア側のギアとが噛み合い、両面搬送装置７０の搬送ロール７６（図１４参照）に本体側から回転力が伝達される。
【００９８】
一方、二次転写ロール２２を移動部材１０６に装着しないでメンテナンスドア８６を閉止位置へ移動させようとすると、移動部材１０６がメンテナンスドア８６に対して相対移動しない。このため、図１に示されるように、係合部１１６が、凸部１１８Ｂに接触する。これにより、メンテナンスドア８６の閉止位置への移動が阻害され、係合部１１６と被係合部１１８とは係合しない。
【００９９】
メンテナンスドア８６の閉止位置への移動が阻害されるため、図５（Ａ）に示されるように、ロック解除スイッチ１２２と押圧突起１２４の先端部とが接触しない。このため、ロック解除スイッチ１２２がオン状態とならない。これにより、画像形成装置１０による画像形成動作が禁止される（インターロック）。
【０１００】
以上説明したように、二次転写ロール２２が移動部材１０６に装着されていない場合には、係合部１１６と被係合部１１８とは係合しないため、メンテナンスドア８６が閉止位置で保持されるのが抑制される。
【０１０１】
また、二次転写ロール２２が移動部材１０６に装着されていない場合には、係合部１１６が、凸部１１８Ｂに接触する。これにより、メンテナンスドア８６の閉止位置への移動が阻害される。
【０１０２】
また、メンテナンスドア８６が閉止位置へ移動しない場合には、ロック解除スイッチ１２２がオン状態とならない。これにより、画像形成装置１０による画像形成動作が禁止される（インターロック）。換言すれば、シート部材Ｐを搬送できない状態での誤作動が抑制される。
【０１０３】
また、係合部１１６が、移動部材１０６に一体的に形成されている。このため、係合部が単独で設けられている場合と比して、係合部１１６が安価な構成となっている。
【０１０４】
また、メンテナンスドア８６が閉止位置へ移動するのに伴って、作用装置１２８が、従動ロール５０を対向位置に移動させる。これにより、従動ロール５０が対向位置で確実に位置決めされる。
【０１０５】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、二次転写ロール２２に本願仕様を用いたが、シート部材Ｐを搬送する搬送ロール等に用いてもよい。
【符号の説明】
【０１０６】
１０          画像形成装置
１０Ａ        装置本体
２２          二次転写ロール（搬送部材の一例）
５０          従動ロール（対向搬送部材の一例）
８４          開口
８６          メンテナンスドア（開閉部材の一例）
１０６        移動部材
１１２        位置決め部材
１１６        係合部（係合部材の一例）
１１８        被係合部（被係合部材の一例）
１１８Ｂ      凸部（阻害部材の一例）
１２２        ロック解除スイッチ（許容禁止部材の一例）
１２８        作用装置（他の位置決め部材の一例）
【図１】
0005919935.tif 000002
【図２】
0005919935.tif 000003
【図３】
0005919935.tif 000004
【図４】
0005919935.tif 000005
【図５】
0005919935.tif 000006
【図６】
0005919935.tif 000007
【図７】
0005919935.tif 000008
【図１３】
0005919935.tif 000009
【図１４】
0005919935.tif 000010
【図８】
0005919935.tif 000011
【図９】
0005919935.tif 000012
【図１０】
0005919935.tif 000013
【図１１】
0005919935.tif 000014
【図１２】
0005919935.tif 000015